(57)【要約】【課題】紙間でトナーが感光ドラムに飛ばないようにするために、先行紙の画像を現像し終わってから現像バイアスを下げ、後続紙の画像の現像に間に合うように現像バイアスを上げると、現像バイアスの立ち下がり、立ち上がりにはある程度の時間が必要であるため、今後さらなる高速化が進むと、画像間で現像バイアスが立ち下がりきらない、もしくは、後続紙の画像の現像開始までに、現像バイアスが立ち上がりきらない可能性がある。【解決手段】トップセンサ105で後続紙の先端を検出してからレジローラ104の回転数を増速し、先行紙の後端が転写ローラ106に到達する前に後続紙の先端を先行紙の後端に追いつかせ紙間の隙間を無くし紙間での現像バイアスのオンオフ制御を止める。また、先行紙の後端が転写ローラ106通過後に熱定着装置130を増速させる。【選択図】図1
2015014694.tif 000002
【特許請求の範囲】
【請求項１】
電子写真方式を用いて感光体表面上にトナー画像を形成し、転写部材を用いて感光体上のトナーを記録用紙に転写させ、記録用紙上に熱定着させる方式を用いた画像形成装置において、転写部材よりも上流の搬送路に配置されるローラを駆動する上流側ローラ駆動手段と、感光体を回転させる感光体回転手段と、転写部材よりも下流の搬送路に配置されるローラを駆動する下流側ローラ駆動手段と、転写部材よりも上流の搬送路に配置され、搬送される記録用紙を検出する記録用紙検出手段と、記録用紙検出手段からの入力を元に上流側ローラ駆動手段と下流側ローラ駆動手段の回転数を加速、減速させる用紙搬送制御手段と、感光体表面に画像を潜像するための露光手段と、露光手段の光源をON／OFFさせ、感光体表面に画像を潜像させる画像出力手段と、画像出力手段に画像出力開始タイミングを通知するための画像出力開始タイミング通知手段とを有し、記録用紙検出手段で後続紙の先端を検出してから上流側ローラ駆動手段の回転数を増速して先行紙の後端が転写部材に到達する前に後続紙の先端を先行紙の後端に追いつかせると共に、後続紙の増速に合わせて画像出力開始タイミングの通知タイミングを調整し、先行紙の後端が転写部材通過後に下流側ローラ駆動手段を増速させることを特徴とする画像形成装置。
【請求項２】
後続紙が転写部材に突入する前に感光体の周速度と後続紙の搬送速度を一致させるように、上流側ローラ駆動手段の回転数を減速させることを特徴とする請求項1に記載の画像形成装置。
【請求項３】
先行紙の後端と後続紙の先端が転写部材を通過している時、先行紙と後続紙の紙間は0mmであることを特徴とする請求項１に記載の画像形成装置。
【請求項４】
先行紙の後端と後続紙の先端が転写部材を通過している時、先行紙の後端余白部分と後続紙の先端余白部分が重なっていることを特徴とする請求項１に記載の画像形成装置。
【請求項５】
記録用紙検出手段で検出される、先行紙後端と後続紙先端の距離が、所定の距離未満であれば上流側ローラ駆動手段を増速させ、所定の距離以上であれば上流側ローラ駆動手段を増速しないことを特徴とする請求項1乃至4の何れか１項に記載の画像形成装置。
【請求項６】
所定の距離とは、現像バイアスの立ち下がり時間と立ち上がり時間の合計と、記録用紙の搬送速度との積から求められる距離であることを特徴とする請求項5に記載の画像形成装置。
【請求項７】
感光体表面上にトナー画像を形成するために、現像バイアスを印加する、現像バイアス印加手段を有し、上流側ローラ駆動手段を増速した場合は、現像バイアスを印字中の電圧に維持し、上流側ローラ駆動手段を増速しなかった場合は、先行紙の画像と後続紙の画像間で、現像バイアスをOFF、もしくは電圧を下げることを特徴とする請求項5に記載の画像形成装置。
【請求項８】
上流側ローラ駆動手段を増速した場合は、先行紙の後端が転写部材通過後に下流ローラ駆動手段を増速させ、上流ローラ駆動手段を増速しなかった場合は、下流ローラ駆動手段を増速しないことを特徴とする請求項5に記載の画像形成装置。
【請求項９】
記録用紙に転写されたトナーを熱定着させるための熱定着手段を有し、下流ローラ駆動手段を増速した時に熱定着手段の温度を上げることを特徴とする請求項8に記載の画像形成装置。
【発明の詳細な説明】
【技術分野】
【０００１】
本発明は、電子写真・静電記録・磁気記録等の適宜の原理・方式の作像プロセス手段部で記録用紙上にトナー等の顕画材により目的の画像情報に対応した画像を間接方式あるいは直接方式で形成担持させ、その画像を記録用紙に固着像として熱定着することによって画像形成物を出力する、プリンタ・複写機・記録機・ファクシミリ等の画像形成装置に関するものである。
【背景技術】
【０００２】
従来の画像形成装置要部の構成を図10に示す。
【０００３】
図10において、122は像担持体である感光ドラム、124は帯電バイアス発生回路であり、これは感光ドラム122上に電子写真プロセスに必要な均一な電荷を載せるためのものである。
【０００４】
また、107はレーザ光反射ミラーであり、レーザ光学箱108から出力されたレーザ光を反射させ、感光ドラム122上に画像データに応じた静電潜像を形成するためのものである。121は現像ローラであり、この現像ローラ121は感光ドラム122に対向配置されており、感光ドラム122上の静電潜像を現像するために必要なトナーを担持するものである。126は現像バイアス発生回路であり、これは感光ドラム122上の静電潜像を現像するために必要な現像バイアスを発生するためのものである。
【０００５】
現像ローラ121内に埋め込まれたマグネット125の磁力によってトナー中の鉄成分が引き付けられ、現像ローラ121上へトナーが引き付けられる。そして、現像ローラ121に引き付けられたトナーはブレード129によって均一に載せられて運ばれる。
【０００６】
現像ローラ121にバイアスを印加すると、現像ローラ121と感光ドラム122上に電界が発生し、マグネット125の磁力よりも強くなったときにトナーは感光ドラム122へ向かって飛ぶ。そして、感光ドラム122上のトナーには転写ローラ106上に記録用紙Pが来るタイミングで転写正バイアス127が印加され、トナーが記録用紙P上に転写される。
【０００７】
一方、帯電バイアス、現像バイアスの関係によっては、レーザを照射していない背景部にもトナーが載ってしまうことがある。そして、一部が紙間時に転写の正バイアスによって転写ローラ106に付着してしまう。これが多くなると、
１．記録用紙裏にトナー汚れが着いてしまう。
２．コバ（記録用紙の端）にトナー汚れが着いてしまう。
３．トナー中の研磨材によって転写ローラ106が削れてその径が変わってしまう。
という問題が発生する。
【０００８】
上記問題に対する対策としては、紙間において現像バイアスを下げ、トナーが感光ドラム122へ飛ばないようにするものがある（特許文献１参照）。
【先行技術文献】
【特許文献】
【０００９】
【特許文献１】特開平11-133809号公報
【発明の概要】
【発明が解決しようとする課題】
【００１０】
近年スループットの高速化が求められており、記録用紙の搬送速度の高速化と、紙間の短縮化が求められている。記録用紙の搬送速度を高速化すると感光ドラムの回転数も早くなり、紙間を短縮すると感光ドラム上の画像間隔も短くなる。そのため、先行紙の画像を現像し終わってから、後続紙の画像の現像を開始するまでの時間が短くなってきている。
【００１１】
先行技術では、紙間でトナーが感光ドラムに飛ばないようにするために、先行紙の画像を現像し終わってから現像バイアスを下げ、後続紙の画像の現像に間に合うように、現像バイアスを上げている。現像バイアスの立ち下がり、立ち上がりにはある程度の時間が必要である。そのため、今後さらなる高速化が進むと、画像間で現像バイアスが立ち下がりきらない、もしくは、後続紙の画像の現像開始までに、現像バイアスが立ち上がりきらない可能性がある。
【００１２】
画像間で現像バイアスが立ち下がりきらない時は感光ドラムに不要なトナーが付着しそれが転写ローラに転写されて転写ローラが汚れる。そこに次の紙を通すと後続紙の裏側に汚れが付着する問題がある。
【００１３】
また後続紙の画像の現像開始までに、現像バイアスが立ち上がりきらない場合は後続紙の先端の画像が現像されないまたは現像されても画像が薄くなるという問題がある。
【００１４】
そこで、本発明の目的は、上記のような問題点に鑑み、紙間時におけるトナーによる転写ローラ汚れを防いで裏汚れ等のない良好な画像を得ることができる画像形成装置を提供することである。
【課題を解決するための手段】
【００１５】
本出願に係る第1の発明によれば、上記目的は、電子写真方式を用いて感光体表面上にトナー画像を形成し、転写部材を用いて感光体上のトナーを記録用紙に転写させ、記録用紙上に熱定着させる方式を用いた画像形成装置において、転写部材よりも上流の搬送路に配置されるローラを駆動する上流側ローラ駆動手段と、感光体を回転させる感光体回転手段と、転写部材よりも下流の搬送路に配置されるローラを駆動する下流側ローラ駆動手段と、転写部材よりも上流の搬送路に配置され、搬送される記録用紙を検出する記録用紙検出手段と、記録用紙検出手段からの入力を元に上流側ローラ駆動手段と下流側ローラ駆動手段の回転数を加速、減速させる用紙搬送制御手段と、感光体表面に画像を潜像するための露光手段と、露光手段の光源をON／OFFさせ、感光体表面に所定の画像を潜像させる画像出力手段と、画像出力手段に画像出力開始タイミングを通知するための画像出力開始タイミング通知手段とを有し、記録用紙検出手段で後続紙の先端を検出してから上流側ローラ駆動手段の回転数を増速して先行紙の後端が転写部材に到達する前に後続紙の先端を先行紙の後端に追いつかせると共に、後続紙の増速に合わせて画像出力開始タイミングの通知タイミングを調整し、先行紙の後端が転写部材通過後に下流側ローラ駆動手段を増速させることにより達成される。
【発明の効果】
【００１６】
以上説明したように、本発明によれば、紙間時におけるトナーによる転写ローラ汚れを防いで裏汚れ等のない良好な画像を得ることができる画像形成装置を提供することができる。また、後続紙を増速させた場合も、画像出力開始タイミングの通知タイミングを調整し、感光体表面上のトナー画像と後続紙の位置関係を合わせることで、後続紙に良好な画像を出力することができる画像形成装置を提供することができる。
【図面の簡単な説明】
【００１７】
【図１】本発明の画像形成装置の一例を示す断面図。
【図２】実施例1、2における各ローラと各モータの関係図。
【図３】制御系のブロック図。
【図４】実施例1におけるフローチャート。
【図５】実施例1におけるフローチャート。
【図６】ａ）、ｂ）、ｃ）  実施例1、2における記録用紙の位置関係図。
【図７】実施例1、2におけるレジローラでの搬送速度。
【図８】実施例2におけるフローチャート。
【図９】実施例2におけるフローチャート。
【図１０】従来の画像形成要部の構成図。
【発明を実施するための形態】
【００１８】
［実施例１］
図1は本実施例の画像形成装置の断面図である。図1において、122は有機感光体やアモルファスシリコン感光体でできた感光ドラムであり、時計方向に所定の周速度（プロセススピード）をもって回転駆動される。この回転感光体ドラム122、帯電ローラ123によりその周面が所定の極性、電位に一様に帯電される。そして、その帯電面に、レーザ光学箱108から出力され、画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー107によって変更されて照射されることにより、走査露光が行われ、画像情報に対応した静電潜像が形成される。
【００１９】
副走査方向の走査露光開始タイミングは、副走査方向同期信号により画像形成装置から画像信号発生装置に通知される。このように目的の画像に対応して形成された静電潜像は、現像ローラ121により現像される。
【００２０】
次に、給紙カセットから記録用紙が給紙ローラ102により１枚給紙され、搬送ローラ103、レジローラ104により搬送され、この感光ドラム122に対して送り込まれることにより、記録用紙に対して感光ドラム122側の鏡像トナー像が形成される。この転写ローラ106は記録用紙の背面からトナーと逆極性の電荷を供給することで、感光ドラム122から記録用紙にトナー像を転写するものである。
【００２１】
このようにトナー像の転写を受けた記録用紙は、感光ドラム122から分離されて熱定着装置130へ送り込まれ、ヒータ132、定着フィルム133、加圧ローラ134によってトナー像の熱定着を受ける。熱定着を受けた記録用紙は、FUローラー110とFDローラー111により搬送されFDトレイ113に排出される。
【００２２】
図2は本実施例における画像形成装置の各ローラと、ローラを駆動するモータの関係を表した図である。本実施例における画像形成装置では、搬送モータ301、ドラムモータ302、定着モータ303が使用されている。搬送モータ301は、給紙ローラ102、搬送ローラ103、レジローラ104を駆動している。ドラムモータ302は、感光ドラム122、転写ローラ106を駆動している。定着モータ303は、加圧ローラ134、FUローラ110、FDローラ111を駆動している。搬送モータ301、定着モータ303にはステッピングモータを用いる。これにより画像形成制御手段２００のＣＰＵから出力するクロックの周期を変化させるだけで搬送モータ301、定着モータ303の回転数を変化させることができる。
【００２３】
図3は本実施例における制御系のブロック図である。画像形成装置制御手段200は、画像形成装置全体を制御するマイクロプロセッサ、制御プログラムを格納したROM、データ等を記憶するRAM、及びゲート素子等により構成され、記録用紙を検出するためのトップセンサ105、排紙センサ109、各ローラを駆動するための搬送モータ301、ドラムモータ302、定着モータ303、現像ローラ121に現像バイアスを印加するための現像バイアス発生回路126、トナーを熱定着させるためのヒータ132、ヒータの温度を検知するためのサーミスタ131、副走査方向同期信号を基点として目的の画像に対応したレーザ光のオン／オフを開始する画像信号出力手段400などが接続されている。
【００２４】
機能的には、記録用紙に画像を形成し熱定着させるために、高圧、スキャナ、定着、副走査方向同期信号を制御する画像形成制御手段201
用紙搬送路に配置されたセンサ、画像形成制御手段201からの情報を元に紙搬送を制御する紙搬送制御手段202
等から構成されている。
【００２５】
副走査方向同期信号は、トップセンサ105での記録用紙の先端検出を基点に出力される。具体的には、副走査方向同期信号の出力と同時に、画像信号出力手段400がレーザ光の発光を開始すると、記録用紙の先端0mmから画像が転写されるように、感光ドラム122上に画像が形成される。記録用紙が一定速度で搬送される場合、トップセンサ105で用紙先端を検出してから副走査方向同期信号を出力するまでの時間Ttopは、以下の式1で表すことができる。
【００２６】
【数１】
2015014694.tif 000003
【００２７】
ここで、Ldは感光ドラム122上のレーザ照射位置から転写ニップまでの沿面距離、Lfはトップセンサ105から転写ニップまでの距離、Vfは記録用紙の搬送速度である。また、感光ドラム122の周速と記録用紙の搬送速度は同一、LdよりLfの方が長くなるようにトップセンサ105が配置されているものとする。
【００２８】
画像形成装置制御手段200が行う具体的な処理を図4、図5のフローチャートで説明する。図4は記録用紙の先端がトップセンサ105に到達した時に開始される処理のフローチャート、図5は記録用紙の後端がトップセンサ105に到達した時に開始される処理のフローチャートである。まず、図4のフローチャートで記録用紙先端基準の処理を説明する。
【００２９】
記録用紙の先端がトップセンサ105に到達すると、まず、ステップ1で先行紙があるかどうか確認する。先行紙がなかった場合搬送モータ301の加減速は行わず、処理を終了する。
【００３０】
ステップ1で先行紙があると判断すると、ステップ2で搬送モータ301の加速を開始し、ステップ3へ進む。
【００３１】
ステップ3では、画像信号出力手段400へ出力する副走査方向同期信号の出力タイミングを早め、ステップ4へ進む。副走査方向同期信号の出力タイミングの調整については後述する。
【００３２】
ステップ4では、搬送モータ301の減速タイミングかどうか判断し、減速タイミングであればステップ5へ進む。搬送モータ301の減速タイミングの判断については後述する。
【００３３】
ステップ5では、搬送モータ301を減速し、レジローラ104での搬送速度を、感光ドラム122での搬送速度に合わせて、処理を終了する。
【００３４】
次に、図5のフローチャートで記録用紙後端基準の処理を説明する。記録用紙の後端がトップセンサ105に到達すると、まず、ステップ1で現像バイアスのOFFタイミングかどうか判断し、現像バイアスのOFFタイミングであれば、ステップ2へ進む。
【００３５】
ステップ2では、後続紙があるかどうか確認し、後続紙がなかった場合は、ステップ5へ進み、現像バイアスをOFFして処理を終了する。後続紙があった場合は、ステップ3へ進む。
【００３６】
ステップ3では、記録用紙の後端が転写ニップに到達するのを待って、ステップ4へ進む。
【００３７】
ステップ4では、定着モータ303を増速し、熱定着装置130での搬送速度を、感光ドラム122での搬送速度よりも速めて、処理を終了する。
【００３８】
図6ａ、ｂ、ｃは、本実施例における記録用紙の搬送状態のイメージ図である。
【００３９】
図6ａはトップセンサ105に記録用紙の先端が到達した時点の図で、図4のフローチャートにおける開始時点のイメージ図である。P1は先行紙、P2は後続紙、X1は転写ニップと先行紙P1の後端までの距離、Xは転写ニップとトップセンサ105の距離である。この後、図4のフローチャートのステップ2からステップ4で、搬送モータ301を加減速させることで、記録用紙は図６ｂに示す位置関係となる。
【００４０】
図６ｂでは、先行紙P1の後端と、後続紙P2の先端は転写ニップに位置している。具体的には、先行紙P1の後端と、後続紙P2の先端の距離が0mmとなっている。ここで、本発明の目的を達成するには、先行紙と後続紙の紙間がなければよいので、先行紙P1の後端余白部分と、後続紙P2の先端余白部分同士が重なり合っていてもよい。この状態から、図5のフローチャートのステップ4にて、定着モータ303を増速させることで、記録用紙は図６ｃに示す位置関係となる。
【００４１】
図６ｃでは、先行紙P1の後端と、後続紙P2の先端は紙間が確保されている。そのため、排紙センサ109での先行紙P1の後端の検出と、後続紙P2の先端の検出ができ、記録用紙のジャム検出を行うこともできる。
【００４２】
図4のフローチャートのステップ3での副走査方向同期信号の出力タイミングの調整について説明する。搬送モータ301を加減速させることで、後続紙は、一定速度で搬送する場合に比べて、図6ａにおける距離X2分だけ紙間がつまる。よって、感光ドラム122上に形成される画像も、距離X2分だけ早く形成しなくてはならない。感光ドラム122上の画像を距離X2分だけ早く形成するためには、副走査方向同期信号を距離X2分だけ早く出力すればよい。後続紙を加速した場合、トップセンサ105で用紙先端を検出してから副走査方向同期信号を出力するまでの時間Ttop2は、以下の式2で表すことができる。
【００４３】
【数２】
2015014694.tif 000004
【００４４】
ここで、Ldは感光ドラム122上のレーザ照射位置から転写ニップまでの沿面距離、Lfはトップセンサ105から転写ニップまでの距離、Vfは記録用紙の搬送速度である。また、感光ドラム122の周速と記録用紙の搬送速度は同一、LdとX2の合計よりLfの方が長くなるようにトップセンサ105が配置されているものとする。
【００４５】
図4のフローチャートのステップ4での搬送モータ301の減速タイミング判断方法について説明する。
【００４６】
図7はレジローラ104での搬送速度の変化を表した図である。V1は感光ドラム122での搬送速度と同等の速度、V2は感光ドラム122での搬送速度よりも速い速度である。Taは搬送モータ301の増速に要する時間、Tdは搬送モータ301の減速に要する時間、T2は速度V2を維持する時間である。
【００４７】
後続紙の先端が先行紙の後端に追いつくためには、先行紙が図6における距離X1を進む間に、後続紙が図6における距離Xを進めばよい。そのためには、T1を後続紙の先端がトップセンサ105に到達してから先行紙の後端が転写ニップを通過するまでの時間として、図7の斜線で示した領域の面積が距離XになるようなT2を求めればよい。なお紙間距離はゼロにできればよいがモータの回転数や紙搬送路の寸法誤差などによりゼロｍｍが難しい場合がある。その時は紙後端および先端の余白部まで先行紙と後続紙を重ねるように制御しても目的を達成することができる。  T2は図4のフローチャートのステップ4にとどまっている時間と一致する。よって、図4のフローチャートのステップ4での搬送モータ301の減速タイミングの判断は、搬送モータ301の増速が終了してからT2経過したかどうかで判断できる。V1、V2はあらかじめ決められた速度、Ta、Tdは搬送モータ301の特性などにより決定される時間であり、あらかじめ決めることができる。T1は、感光ドラム122での搬送速度で距離Xを進む時間から、トップセンサ105で先行紙の後端を検出してから後続紙の先端を検出するまでの時間を引くことで求めることができる。
【００４８】
以上のような制御により紙間距離が現像バイアスのオンオフに要する時間に対してマージンが無い場合は紙間距離を無くすと共に現像バイアスのオンオフを止めることにより、紙間時におけるトナーによる転写ローラ汚れを防いで裏汚れ等のない良好な画像を得ることができる画像形成装置を提供することができる。
【００４９】
［実施例２］
実施例1では、先行紙があれば必ず搬送モータ301を増速していた。実施例2では、先行紙と後続紙との紙間によって搬送モータ301を増速するかどうか判断する。また、後続紙を増速した場合のみ定着モータ303も増速し、増速した際には、熱定着装置130の温度を上げ、トナーの記録用紙への定着性を向上させる。
【００５０】
本実施例の画像形成装置の断面図、制御系のブロック図、各ローラとローラを駆動するモータの関係は、実施例1と同じである。
【００５１】
本実施例での、画像形成装置制御手段200が行う具体的な処理を図8、図9のフローチャートで説明する。図8は記録用紙の先端がトップセンサ105に到達した時に開始される処理のフローチャート、図9は記録用紙の後端がトップセンサ105に到達した時に開始される処理のフローチャートである。まず、図8のフローチャートで記録用紙先端基準の処理を説明する。
【００５２】
記録用紙の先端がトップセンサ105に到達すると、まず、ステップ1で先行紙があるかどうか確認する。先行紙がなかった場合搬送モータ301の加減速は行わず、処理を終了する。
【００５３】
ステップ1で先行紙があると判断すると、ステップ2へ進み、現像バイアスをOFFする時間があるかどうか判断する。
【００５４】
具体的は、現像バイアスの立ち下がり時間と立ち上がり時間の合計と、トップセンサ105で測定された紙間時間を比較し、紙間時間の方が長ければ、現像バイアスをOFFする時間があると判断し、搬送モータ301の加減速は行わず、処理を終了する。紙間時間の方が短ければ、現像バイアスをOFFする時間がないと判断し、ステップ3へ進み、搬送モータ301の加速を開始し、ステップ4へ進む。
【００５５】
ステップ4では、画像信号出力手段400へ出力する副走査方向同期信号の出力タイミングを早め、ステップ5へ進む。副走査方向同期信号の出力タイミングの調整方法は、実施例1で説明したとおりである。
【００５６】
ステップ5では、搬送モータ301の減速タイミングかどうか判断し、減速タイミングであればステップ6へ進む。搬送モータ301の減速タイミングの判断方法は、実施例1で説明したとおりである。
【００５７】
ステップ6では、搬送モータ301を減速し、レジローラ104での搬送速度を、感光ドラム122での搬送速度に合わせて、処理を終了する。
【００５８】
次に、図9のフローチャートで記録用紙後端基準の処理を説明する。
【００５９】
記録用紙の後端がトップセンサ105に到達すると、まず、ステップ1で現像バイアスのOFFタイミングかどうか判断し、現像バイアスのOFFタイミングであれば、ステップ2へ進む。
【００６０】
ステップ2では、後続紙があるかどうか確認し、後続紙がなかった場合は、ステップ6へ進み、現像バイアスをOFFして処理を終了する。後続紙があった場合は、ステップ3へ進む。
【００６１】
ステップ3では、現像バイアスをOFFする時間があるかどうか判断する。具体的な判断方法は、図8のフローチャートのステップ2と同じである。現像バイアスをOFFする時間があると判断すると、ステップ6へ進み、現像バイアスをOFFして処理を終了する。現像バイアスをOFFする時間がないと判断すると、ステップ4へ進む。
【００６２】
ステップ4では、記録用紙の後端が転写ニップに到達するのを待って、ステップ5へ進む。
【００６３】
ステップ5では、定着モータ303を増速し、熱定着装置130での搬送速度を、感光ドラム122での搬送速度よりも速めて、ステップ7へ進む。
【００６４】
ステップ7では、熱定着装置130の温度を上げ、処理を終了する。ここで、上げる温度は、定着モータ303を増速しない場合の定着性と同等になる温度である。
【００６５】
以上のような制御により、紙間時におけるトナーによる転写ローラ汚れを防いで裏汚れ等のない良好な画像を得ることができる画像形成装置を提供することができる。
【符号の説明】
【００６６】
100    画像形成装置
101    紙有無センサ
102    給紙ローラ
103    搬送ローラ
104    レジローラ
105    トップセンサ
106    転写ローラ
107    レーザ光反射ミラー
108    レーザ光学箱
109    排紙センサ
110    FUローラ
111    FDローラ
112    FUトレイ
113    FDトレイ
120    トナーカートリッジ
121    現像ローラ
122    感光ドラム
123    帯電ローラ
124    帯電バイアス発生回路
125    マグネット
126    現像バイアス発生回路
127    転写正バイアス
128    転写負バイアス
129    ブレード
130    定着器
131    サーミスタ
132    ヒータ
133    定着フィルム
134    加圧ローラ
200    画像形成装置制御手段
201    画像形成制御手段
202    紙搬送制御手段
301    搬送モータ
302    ドラムモータ
303    定着モータ
400    画像信号出力手段
P      記録用紙
P1     先行紙紙
P2     後続紙
【図１】
2015014694.tif 000005
【図２】
2015014694.tif 000006
【図３】
2015014694.tif 000007
【図４】
2015014694.tif 000008
【図５】
2015014694.tif 000009
【図６】
2015014694.tif 000010
【図７】
2015014694.tif 000011
【図８】
2015014694.tif 000012
【図９】
2015014694.tif 000013
【図１０】
2015014694.tif 000014